(57)【要約】      （修正有）【課題】 加齢による太股の弛みや、腹部とおしりの弛みを無理なく改善することで、股関節の負担を軽減し、更にズボンやタイトなパンツをより姿勢良く見る男性下着を提供する。【解決手段】人体のウエストラインから膝関節までの範囲に圧迫感を与えないで着用する伸縮性生地からなる衣類であって、衣類は部分的に張力の強い伸縮性部を有し、単体又は複数の帯状の布が連結した構成からなり、張力の強い伸縮性部を有する範囲は、中殿筋と大殿筋の一部と少なくとも大腿骨の内側の縫工筋を含む範囲から内転筋群の一部及びハムストリングスの一部の複数の筋肉を引き締め、伸縮性生地からなる衣類本体に重ね合わせて縫合した男性用下着。【選択図】図１
2007016361.tif 000002
【特許請求の範囲】
【請求項１】
人体のウエストラインから膝関節上方までの範囲に圧迫感を与えないで着用する伸縮性生地からなる衣類であって、前記衣類は部分的に張力の強い伸縮性部を有し、単体又は複数の帯状の布が連結した構成からなり、前記張力の強い伸縮性部を有する範囲は、中殿筋と大殿筋の一部と少なくとも大腿骨の内側の縫工筋を含む範囲から内転筋群の一部及びハムストリングスの一部であることを特徴とする男性用下着。
【請求項２】
請求項１記載の男性用下着において、前記張力の強い伸縮性部を有する単体又は複数の帯状の布は、伸縮性生地からなる衣類本体に重ね合わせて縫合又は、接着及び又は、生地の編み組織の切り替えによって一体化に形成されていることを特徴とする男性用下着。
【請求項３】
請求項１又は２記載の男性用下着において、前記伸縮性生地からなる衣類本体と張力の強い伸縮性部を有する単体又は複数の帯状の布の素材は、天然繊維である綿繊維、動物繊維である絹繊維、化学繊維であるレーヨン繊維、ポリウレタン繊維、キュプラ繊維、マイクロファイバー極細繊維、ナイロン繊維、ポリエステル繊維、アクリル繊維、半合成繊維であるアセテート繊維のいずれかの繊維を単体または、組み合わせで形成された布からなる素材を用いたことを特徴とする男性用下着。
【発明の詳細な説明】
【技術分野】
【０００１】
本発明は各種の男性用下着に関するものである。さらに詳しくは、人体のウエストラインから膝関節までの範囲に圧迫感を与えないで着用する伸縮性生地からなる衣類であり、部分的に張力の強い伸縮性部を中殿筋と大殿筋の一部と少なくとも大腿骨の内側の縫工筋を含む範囲から内転筋群の一部及びハムストリングスの一部の筋肉を引き締めることを特徴とする男性用下着に関するものである。
【背景技術】
【０００２】
加齢により、腹部又は下腹部や臀部の弛みにより、体型を補整するために、男性用のものも含め着用するインナーウェアとしてガードルやボディスーツ、パンツ等が主流であり、
近年は男性用補正下着としてインナーウェアによるヒップアップなどのガードル、ボディスーツ、パンツとして各種の被服が提案されている。
【０００３】
まず、（例えば特許文献１参照）に開示された、下着をつけずに直接着用できるガードルタイプのパンツは、腹部膨出部と後側の左右臀部膨出部の下側部および左右両側部の各外面に重ねて縫着され、別体のウエストニッパーを設けてあるガードルタイプのパンツが提案されている。
【０００４】
又、（例えば特許文献２参照）に開示された、腹部及び臀部補正機能を有する女性用被服
は、非伸縮性素材からなる補強布部と、伸縮性素材からなる補正布部とでそれぞれ接合された当て布パネルが形成され、腹部のシェイプアップ効果と臀部のヒップアップ効果とを得られるようにした女性用被服が提案されている。
【０００５】
更に、（例えば特許文献３参照）に開示された、男性用ガードル、ボディスーツは下腹部の締め付けやヒップアップを図り、体型の補整を行い、着用時の圧迫感がない小用の便の良いインナーウェアの男性用ガードル、ボディスーツが提案されている。
【０００６】
従来このような、有力的な効力を発揮する男性用ガードルやボディスーツ、パンツ等は特に腹直筋や外腹斜筋の下腹部の弛みを、別体のウエストニッパーで締め付けて、大殿筋の膨出部の下側部に補強布部を設けて、ヒップの弛み等の体型を整える機能を目的とした範囲がほとんどである。
【０００７】
さらに前身を通気性と不伸縮性の素材やメッシュ素材にするなど、通気性と伸縮性の素材で形成されているものがある。更に、下腹部の筋肉補正により、男性生殖器が被服の締め付けなどを防止する為、男性生殖器が収納できる穴部や小用の開口部などが設けた被服が用いられている。
【特許文献１】特開平９−１１１５０２号公報
【特許文献２】特開平１０−１３０９１０号公報
【特許文献３】特開２００４−３５３１４９号公報
【発明の開示】
【発明が解決しようとする課題】
【０００８】
しかし、これらの男性用ガードルやボディスーツ、パンツ等の補正機能を有する被服は、人体の筋肉組織と大殿筋の繊維や骨格に関連した具体的な作用に注目して取り上げたものが見当たらず、更に人体の中殿筋と大殿筋の一部と少なくとも大腿骨の内側の縫工筋を含む範囲から内転筋群の一部及びハムストリングスの一部の範囲に注目してこれを引き締めながらヒップアップするための男性用下着については、ほとんど検討されてきていない。
【０００９】
内転筋群は長内転筋、短内転筋、大内転筋、薄筋、恥骨筋の総称であり、大腿骨の内側に存在する。浅層と深層に配列し、浅層は外側から内側へ恥骨筋・長内転筋・薄筋があり、恥骨筋と長内転筋の深部に短内転筋があり、これらの筋の下に大内転筋がある。又、運動動作においては股関節を内転及び伸展させる作用がある。又、これらの筋肉が衰えるため太股の内側が弛んでしまう。
【００１０】
又、ハムストリングスは大腿ニ頭筋、半腱様筋、半膜様筋の総称であり、大腿ニ頭筋は大腿後面の外側にあり、長・短の2頭から構成され、長頭は坐骨結節から、短頭は大腿骨粗線外側唇から起こり、両頭は相合して腓骨頭に着く。そして半腱様筋は大腿後面の内側にあり、大腿二頭筋長頭の起始の内側で坐骨結節から起こり、その下半は長い腱となり、脛骨内側面の上端に着き、半膜様筋は半腱様筋に被われ扁平な腱で坐骨結節から起こり、脛骨内側顆の後面に着く。尚、運動動作においては膝関節の屈曲に関与し、ハムストリングスは膝関節と股関節を跨いでいるニ関節筋なので股関節の伸展にも関与しており、この筋肉が衰えるため臀部の筋肉が下がってしまう。
【００１１】
更に、縫工筋は、長い帯状の筋で上前腸骨棘から起こり、斜めに下内方に向かって脛骨内側面の上端に着き、運動動作においては股関節の屈曲、膝関節の屈曲、内旋といった動きに関与するため、この筋肉が衰えるため太股の内側が弛んでしまい、臀部も弛んでしまう。従って、股関節の動きの自由度は確保し、しかも圧迫感のないヒップアップを十分行うには縫工筋を軸として内転筋群及びハムストリングスを主体に検討すべきであり、又、中転筋と大殿筋の筋肉繊維は斜め下方向になっており、これをほぼ対角線状に引き上げることが有効である事がわかった。
【００１２】
前述したように、大腿骨の内側の縫工筋を含む範囲から内転筋群の一部及びハムストリングスの一部の筋肉を引き締め、股関節の屈曲の自由度を低下させないで、中殿筋及び大殿筋を引き締める男性用下着に注目して具体的に取り上げたものは見あたっていない。
【００１３】
そこで、本発明は日常の着用時に男性用下着として、特に加齢により弛みやすい大腿骨の内側に位置する、内転筋群、股関節と膝関節につながる、ハムストリングス、それらを補足する、縫工筋の範囲の特定部分又は、複数の筋肉に圧迫感を与えず補正した上でヒップアップができ、股関節の屈曲の自由度を低下させず、肌触りの良い男性用下着を提供する事を目的とするものである。
【課題を解決するための手段】
【００１４】
上記目的を有効に達成するために、人体のウエストラインから膝関節までの範囲に圧迫感を与えないで着用する伸縮性生地からなる衣類であって、前記衣類は部分的に張力の強い伸縮性部を有し、単体又は複数の帯状の布が連結した構成からなり、前記張力の強い伸縮性部を有する範囲は、中殿筋と大殿筋の一部と少なくとも大腿骨の内側の縫工筋を含む範囲から内転筋群の一部及びハムストリングスの一部の筋肉を引き締める男性用下着である。
なお、伸縮性生地を有する単体又は複数の帯状の布は衣類本体に重ね合わせて縫合又は接着及び又は、生地の編み組織の切り替えによって一体化に形成されていても良い、又、伸縮性の生地は天然繊維、合成繊維、半合成繊維、動物繊維のいずれかの繊維を単体または、組み合わせで形成された布からなる素材を用いても良い。
【００１５】
尚、この発明に用いる、張力の強い伸縮性部を有する単体又は複数の帯状の布が、筋肉を引き締める範囲を具体的に説明すると、前記張力の強い伸縮性部を有する単体又は複数の帯状の布はそれぞれ対の構成になっており、左右の臀部の左右の大殿筋と左右の中殿筋の境目から対の帯状が左右縫工筋に沿って左右の内転筋群と左右の内側広筋付近の筋肉を引き締める。次に、もう一方の対の帯状は前面の腹直筋から股部を通り左右の臀部膨出部分に沿って、左右の大殿筋から左右の中殿筋へ縦に筋肉を引き締める。もう一方の対の帯状の布は左右の大内転筋と左右の薄筋付近の側面を通り、左右の大腿二頭筋上方に沿って左右の大転筋膨出部を通り、左右の中殿筋付近筋肉を引き締めることも可能であり、張力の強い伸縮性部を有する単体又は複数の帯状の布はそれぞれ連結して縫合される。
【００１６】
更に、ハムストリングスの部分的、又は、全体部分を単体の帯状で覆うような形成を用いる場合も可能であり、大殿筋の一部を筋肉の繊維に沿って複数の帯状で引き締める場合も可能であり、又、縫工筋を含む内転筋群とハムストリングス部分に連結した複数の帯状で引き締めることも可能である。
【００１７】
又、張力の強い伸縮性部を有する単体又は複数の帯状の布が、伸縮性生地からなる衣類本体に重ね合わせてそれを縫合または接着して一体化できる。又、生地の編み組織の切り替えによって一体化に形成できる。更に、（例えばグンゼ）社のコンピュータ制御の編み機と呼ばれる装置で強緊締素材及び弱緊締素材の組み合わせを立体形成仕立ての筒状に編成して、縫い目を無くして張力の強い伸縮性部と伸縮性生地からなる衣類本体が一体に編成することも可能である。
【００１８】
更に、前記張力の強い伸縮性部を有する単体又は複数の帯状の布と伸縮性生地からなる衣類本体の組織は、ラッセル経編機によって編成される編物、トリコット経編機によって編成される編物、スパンデックスを成型編み、によって編成される編物等であっても良い。例えば、トリコット経編機によって編成されるハーフ組織の編物やラッセル経編機によって編成されるパワーネット組織の編物等を挙げることができる。尚、張力の強い伸縮性部を有する単体又は複数の帯状の幅は、１ｃｍ〜２０ｃｍまでの範囲にあり、部位に応じて部分的に狭幅になったり、広幅になったりすることがあるのは何ら差し支えない。
【００１９】
この発明に用いる、張力の強い伸縮性部を有する単体又は複数の帯状の布と伸縮性生地からなる衣類本体の組み合わせで形成された布からなる素材は、例えば、微細単繊維のタクテルナイロン繊維ポリウレタン繊維の布として混紡したものを使用することが出来る。また、ライクラ（インビスタ社）の綿繊維、ナイロン繊維、ポリエステル繊維、ポリウレタン繊維の布として混紡したものを使用することも出来る。
【００２０】
又、張力の強い伸縮性部を有する単体又は複数の帯状の布の素材には、例えば、２ウェイトリコット編物による、ナイロン繊維、ポリエステル繊維、ポリウレタン繊維を布として混紡したものを使用することが出来る。更に、伸縮性生地からなる衣類本体の身生地はレーヨン繊維とポリウレタン繊維を布として混紡したものを、重ね合わせて縫合又は、接着することも出来る。尚、この張力の強い伸縮性部を有する単体又は複数の帯状の部分には縫合ステッチの接着で、伸縮性生地からなる衣類本体が一体に編成することも可能である。
【００２１】
更に、張力の強い伸縮性部を有する単体又は複数の帯状の布の素材と、縮性生地からなる衣類本体の身生地は、例えば、ナイロン繊維、キュプラ繊維、ポリウレタン繊維を布として混紡したものを使用してマイクロファイバー極細繊維の２ウェイトリコット編物による、例えば、レオナアンフィニ（旭化成）社の繊維を布として混紡したものを使用することも出来る。
【００２２】
尚、この発明に用いる、張力の強い伸縮性部を有する単体又は複数の帯状の布と伸縮性生地からなる衣類本体を縫合または接着して一体化する際の形成弾性糸は、ポリウレタン系弾性糸及びポリエステル系弾性糸。高捲縮仮撚加工を施して伸縮性を持たせたポリエステル、ナイロン等の高捲縮仮撚加工糸を生地の少なくとも一部あるいは全部に使用した生地も使用可能である。
【発明の効果】
【００２３】
本発明の男性用下着は伸縮性生地からなる衣類本体に張力の強い伸縮性部を有する単体又は複数の帯状の布が、大腿骨の内側に位置する、内転筋群、ハムストリングス、縫工筋の範囲に特定部分又は、複数の筋肉に圧迫感を与えず引っ張るように緊締力が作用する力を利用して、太股の弛みを引き締めた上で、ヒップアップができ、股関節の屈曲の自由度を低下させず、ズボンやタイトなパンツなどが形良く見えて、加齢により臀部の弛みと太股の弛みが無理なく整い姿勢が良く見える。更に、冬場の保温効果もあり、シェイプアップ効果もあり、肌触りの良い男性用下着を提供できる。
【発明を実施するための最良の形態】
【００２４】
以下本発明の実施の形態を説明する。
【００２５】
以下、図面を参照しながら、本発明の具体的実施の形態例について説明する。本発明では、男性用下着のどの部分に、張力の強い伸縮性部を有する単体又は複数の帯状の布が配置されているか位置の説明に身体の一部や筋肉や骨格相当部分の名称を使用している部分もあるので、これらの骨格や筋肉の位置、形、大きさは個体それぞれに応じて若干相違するので、上記筋肉ならびに骨格図は代表例の一つとして示したものである。
【００２６】
次に、本発明の理解を容易にするために、図面を参照しながら、本発明の男性用下着の具体的実施の形態例について説明するが、本発明の男性用下着は、図示したもののみに限定されるものではない。
【実施例１】
【００２７】
図１〜図４に示す本発明のショートスパッツの実施例となる男性用下着に用いる伸縮性生地からなる下着本体２２の身生地はレーヨン繊維８０％と、ポリウレタン繊維２０％からなる混紡繊維を用いた。また、張力の強い伸縮性部を有する帯状の布１２、１３、１４、１５、１６、１７の身生地はナイロン繊維５４％とポリウレタン繊維４６％のトリコット経編機によって編成される（例えば、マイクロファイバー２ウェイ繊維）からなる混紡繊維を用いた。
【００２８】
次に、一番目の張力の強い伸縮性部を有する帯状の布の左右１６、１７の幅は、狭幅は１ｃｍの範囲から広幅は３ｃｍの範囲で、筋肉に沿って引き締める位置は、図１、図４、図５に示すように正面から、ウエストライン縫着ステッチ３３部分から始点部２５とし、腹直筋９と外腹斜筋１０の境目の繊維に沿って下腹部を通る境目の繊維部分は１ｃｍ幅の強化ステッチ２１となっており、図３、図４、図６に示すように、股部と薄筋５−４付近を通り、股部強化ステッチライン３３を境目に張力の強い伸縮性部を有する帯状の布の左右１６、１７に連結させて、股部を引き締め、図２及び図７〜図１０に示すように座骨角部分３０を通り、大殿筋２−１の曲面に沿って上方に上がって、中殿筋２付近を通り、ウエストライン縫着ステッチ３３部分で強化ステッチ２１になり、終点部２６とした。これにより、腹直筋９の外側繊維に沿って股部と薄筋５−４を引っ張り、同時に大殿筋２−１を引き上げる事により左右中心の臀部の弛みが抑えられるようにした。
【００２９】
続いて、二番目の張力の強い伸縮性部を有する帯状の布の左右１２、１４の幅は、狭幅は３ｃｍの範囲から広幅は５ｃｍの範囲で、筋肉に沿って引き締める位置は、図１〜図４に示すように背面から、一番目の張力の強い伸縮性部を有する帯状の布の左右１６、１７の中殿筋２と大殿筋２−１境目付近から、連結部１９を始点部２５として、図６及び図９〜図１０に示すように、大腿筋膜張筋３の上方側面を通り、ほぼ斜め下向き方向に、ほぼ縫工筋６に沿って内側広筋４−２の上方付近を終点部２６として、折り返しステッチ２３で逢着した。これにより、中殿筋２から縫工筋６に沿って内側広筋４−２付近までを引っ張ることにより、中殿筋２の弛みと内転筋群５の弛みが抑えられるようにした。
【００３０】
更に、三番目の張力の強い伸縮性部を有する帯状の布の左右１３、１５の幅は、狭幅は３ｃｍの範囲から、広幅は６ｃｍの範囲で、筋肉に沿って引き締める位置は、図１〜図４に示すように、正面から、二番目の張力の強い伸縮性部を有する帯状の布の左右１２、１４の縫工筋６と内転筋群５付近から連結部１９を始点部２５として、図７〜図１０に示すように、５−３大内転筋と５−４薄筋付近の側面を通り、大腿二頭筋１−２上方に沿って大転筋２−１の膨出部を通り、中殿筋２付近の二番目の張力の強い伸縮性部を有する帯状の布の左右１２、１４に連結部１９を終点部２６とした。これにより、内転筋群５からハムストリングス１の大腿二頭筋１−２を引っ張ることにより、大殿筋２−１の膨出部の弛みが抑えられるようにした。
【００３１】
そして、この張力の強い伸縮性部を有する帯状の布１２，１３，１４，１５、１６、１７と伸縮性生地からなる下着本体２２を縫合して一体化にした。下着本体２２の布地の繋ぎ目や折り返しステッチ２３など、縫合される縫合糸はナイロン６縫糸とポリエステル紡績糸の伸縮加工糸を使用した。また、その他に、レーヨン縫糸や、ナイロン６６縫糸の伸縮加工糸なども使用しても良いし、その他の紡績糸も使用可能である。尚、縫合は表縫いでも、裏縫いでも可能であり、接着の構成でも可能である。更に、ショートスパッツの内側の股部強化ステッチライン１８より、折り返しステッチ２３までの筒状の長さは２４ｃｍにした。その他、内側の股部１８からの膝関節の上方の範囲で、３０ｃｍ以上の長さはロングスパッスとした。
【００３２】
又、下着本体２２の立体成型２４の右側ステッチに男性生殖器出入開口箇所男２７を小用のために設けた。これにより男性生殖器出入開口箇所男２７に図１１に示すように小型ファスナー２８を用いた。また、その他に折り返してステッチを設けて小型ボタン、あるいはフックなども用いても良い。
【図面の簡単な説明】
【００３３】
【図１】本発明の実施の形態の男性用下着を示すショートスパッツの正面図。
【図２】本発明の実施の形態の男性用下着を示すショートスパッツの背面図。
【図３】本発明の実施の形態の男性用下着を示すショートスパッツの断面した側面図。
【図４】本発明の実施の形態の男性用下着を示すショートスパッツの底面図。
【図５】本発明の実施の形態の男性用下着を示す人体の腹直筋付近と骨格図を表す正面図。
【図６】本発明の実施の形態の男性用下着を示す人体の右半分の大腿部付近を表す筋肉の正面図。
【図７】本発明の実施の形態の男性用下着を示す人体の右半分の大腿部付近を表す筋肉の背面図。
【図８】本発明の実施の形態の男性用下着を示す人体の左半分の下半身を示す筋肉の側面図。
【図９】本発明の実施の形態の男性用下着を示す左半分が人体のウエストラインから膝関節までの正面側から見た骨格図、また、右半分が人体のウエストラインから膝関節までの正面側から見た筋肉図。
【図１０】本発明の実施の形態の男性用下着を示す左半分が人体のウエストラインから膝関節までの背面側から見た骨格図、また、右半分が人体のウエストラインから膝関節までの背面側から見た筋肉図。
【図１１】本発明の実施の形態の男性用下着を示すショートスパッツの小型ファスナーと男性生殖器出入開口箇所ステッチの正面図。
【符号の説明】
【００３４】
１ハムストリングス
１−２大腿二頭筋
１−３半腱様筋
１−４半膜様筋
２中殿筋
２−１大殿筋
３大腿筋膜張筋
４大腿四頭筋
４−１大腿直筋
４−２内側広筋
４−３外側広筋
４−４中間広筋
５内転筋群
５−１長内転筋
５−２短内転筋
５−３大内転筋
５−４薄筋
５−５恥骨筋
６縫工筋
７脛骨内側面
８膝関節
８−１膝蓋骨
９腹直筋
１０外腹斜筋  
１１大腿骨
１２張力の強い伸縮性部を有する帯状の布
１３張力の強い伸縮性部を有する帯状の布
１４張力の強い伸縮性部を有する帯状の布
１５張力の強い伸縮性部を有する帯状の布
１６張力の強い伸縮性部を有する帯状の布
１７張力の強い伸縮性部を有する帯状の布
１８股部強化ステッチライン
１９連結部
２０縫合ライン
２１強化ステッチ
２２下着本体
２３折り返しステッチ
２４立体成型
２５始点部
２６終点部
２７男性生殖器出入開口箇所
２８小型ファスナー
２９男性生殖器出入開口箇所ステッチ
３０座骨角部分
３１大転子部分
３２股関節部分
３３ウエストライン縫着ステッチ
【図１】
2007016361.tif 000003
【図２】
2007016361.tif 000004
【図３】
2007016361.tif 000005
【図４】
2007016361.tif 000006
【図５】
2007016361.tif 000007
【図６】
2007016361.tif 000008
【図７】
2007016361.tif 000009
【図８】
2007016361.tif 000010
【図９】
2007016361.tif 000011
【図１０】
2007016361.tif 000012
【図１１】
2007016361.tif 000013